(57)【要約】【課題】不適切な枕の使用による肩こり・頭痛・首・頚椎・背中の痛み・いびき・無呼吸症候群・不眠症の軽減、解消を課題に、複数方向の顔面角度を測定し、測定者、または、自ら適正な枕の高さの設定、維持を可能とする顔面角度測定器の開発により解決するものである。【解決手段】二本の間隔維持棒２ａ，２ｂと接続棒６からなるコの字形のフレームの接続棒に設けた支軸８ａ，８ｂに、計測部３ａを吊り下げた構造からなる顔面角度測定器をもって、二本の間隔維持棒２ａ，２ｂの先端を額９と顎１０に当て、横向き（図１４参照）に寝たときの顔の傾きを測定し、顔、頚椎、背骨が敷布団と平行になる枕の高さを設定、次に仰向け（図１５参照）に寝たときの顔面前傾角度を測定できる物とする。又は、直立時（図１６参照）の顔面角度を測定し、仰向け時の顔面角度として、枕の高さを設定する方法から、最良の高さ、形状の枕を簡単に設定・確認・維持することを可能とする。【選択図】図１
2014186015.tif 000002
【特許請求の範囲】
【請求項１】
額と顎を基準に就寝時の顔の角度を測定し、枕の高さを設定、維持するための顔面角度測定器にあって、長い二本の間隔維持棒とそれを繋ぐ接続棒により構成されたコの字形のフレームを特徴に有し、支軸に吊り下げられた事により、測定部の目盛りが常に下を向く構造を特徴に有する顔面角度測定器。
【請求項２】
請求項１に記載の顔面角度測定器にあって、支軸に吊り下げられ目盛りが常に下を向く測定部の両側面に目盛りが刻まれ、左右横向き時の顔面角度の測定を可能とする構造を特徴に有する顔面角度測定器。
【請求項３】
請求項１及び２に記載の顔面角度測定器にあって、支軸に設けた測定部が額側の間隔維持棒の脇に位置する構造を特徴に有し、常に測定者の目と正対する事を可能とする顔面角度測定器。
【請求項４】
請求項１から３のいずれか一項に記載の顔面角度測定器にあって、間隔維持棒に蝶板を有し、間隔維持棒を折りたたむ構造を特徴に有する顔面角度測定器。
【請求項５】
請求項１から４のいずれか一項に記載の顔面角度測定器にあって、吊り下げられて可動する測定部に気泡管を取り付けた特徴を有し、仰向け時横向き時の二方向の測定を可能とする構造の顔面角度測定器。
【請求項６】
請求項１から５のいずれか一項に記載の顔面角度測定器にあって、一体の測定針でありながら二方向を指す針先を有し、一方の針先が常に真下を示し、他方の針先は常に水平を示す特徴を有する測定針により、直立時、横向き時、仰向け時の、三方向の顔面の測定を可能とした測定部からなる顔面角度測定器。
【請求項７】
請求項１から６のいずれか一項に記載の顔面角度測定器にあって、額と顎に当てる二本の長い間隔維持棒を特徴に、視認可能とする顔面と測定部の間隔を確保、維持する構造を有する顔面角度測定器。
【請求項８】
請求項１から７のいずれか一項に記載の顔面角度測定器にあって、接続棒に固定された気泡式測定部を有し、仰向け時横向き時の二方向の測定を可能とする特徴の顔面角度測定器。
【発明の詳細な説明】
【技術分野】
【０００１】  本発明は、額と顎を基準に顔面角度を測定し、枕の高さの設定、維持・確認・調整・製作を容易にするための顔面角度測定器に関するものである。
【背景技術】
【０００２】  従来は、個々の感覚、好みで枕の高さを決めていることが日常の実態であり、肩こり、頭痛、首、頚椎、背中の痛み、不眠症、無呼吸症候群、いびきなどで悩まされる一因になっていた。【０００３】  または、布団に仰向けに寝た状態、あるいは、壁に沿って立ち、頚椎後方の深度を測定者が定規等で測る方法、仰向けに横たわった人を測定者が横から見て目測、あるいは定規で測定して決めるものであった。【０００４】  また、建築用の水平器に似た構造の固定枠に脚をつけた測定器がある。
（特許文献１参照）【０００５】  以下、（図８、図１０、図１１参照）により従来の顔面角度測定器と測定方法について説明する。（図８）において脚６３，６５を額と顎に当て、顔に乗せた状態で固定枠５１に設けた水準器５５，５６，５７により測定する構造になっている。（図１０、図１１）においては測定器の水準器の部分が異なっているものの、（図８）と同様に仰向け時を測定し、それを基準に枕の高さを設定する物ものであった。
【先行技術文献】
【特許文献】
【０００６】
【特許文献１】特許公開２００１−３３０４３４号公報
【発明の概要】
【発明が解決しようとする課題】
【０００７】  上に、述べた従来の顔面角度測定器では、仰向け時の前傾角度を測定し、希望の角度になるように枕の高さを設定するものであって、枕の中央部と両端の高さが異なる等、複雑な形状の枕に対応できない事を課題とする【０００８】  また、自ら測定可能とされているが、水準器５５，５６，５７の配置から、視認出来うる顔と水準器の間隔が確保されておらず、水準器の位置、角度、低反撥材６３，６５を使用した脚をもって正確な視認、測定は不可能な事を課題とし、顔と正対する測定部と間隔を確保する長い脚を有する測定器とするものである。【０００９】  上述の測定器をもって、諸説ある顔面の角度になる様に枕を設定しようとしても、額、顎の骨格には個人差があり、仰向け時の顔面角度を基準に、頭部、頚椎の角度、高さを正しく設定出来ないことを課題に、本発明は、直立時、または、横向き時の顔面角度を基準に枕の高さを設定する顔面角度測定器とする。【００１０】  上述の様に、十分に機能する測定器は存在しないことから、直立時の顔面前傾角度を仰向け時の基準の角度とする、あるいは横向きに寝た時の顔、頚椎、背骨が一直線で敷布団と平行である角度を基準になど、二方向または三方向の角度を測定可能とする測定部を有する測定器の開発を課題とし、正しい枕の設定、確認、維持、製作が容易に出来る顔面角度測定器とする。
【課題を解決するための手段】
【００１１】  本発明は、従来の構造が有する欠点の解決と、新たに複数の体勢の顔面角度を測定し、その角度を基準に枕の高さを設定しようとするものである。（図１参照）蝶番１ａ，１ｂにより折りたためる二本の間隔維持棒２ａ，２ｂと接続棒６により構成されたコの字形のフレームにより測定部３ａと顔４の間隔を確保し、前傾目盛り５ａ，気泡７の視認を可能とし、接続棒６に設けた支軸８ａ，８ｂに吊るされ可動する測定部３ａの前傾目盛り５ａは常に測定者自身の目と正対する場所に位置するものとし、間隔維持棒の先端を額９と顎１０に当てた状態で、（図１９参照）横向き時Ａ、仰向け時Ａ、二方向の角度を測定できる顔面角度測定器とする。また、一体にして二方向を示す針１２ａ，１２ｂを有する（図２、８、９参照）測定部３ｂからなる測定器にあっては、（図１９参照）横向き時Ｂ、仰向け時Ｂ、直立時Ｂ、の三方向の角度が測定できる顔面角度測定器とする。又、接続棒６に固定された測定部３ｃ（図３参照）からなる測定器にあっては、（図１９参照）三方に円弧状曲面を有する気泡管により、横向き時Ｃ、仰向け時Ｃ、二方向の測定が可能な顔面角度測定器とする。【００１２】  以上、上述の手段を持って課題の解決をするもので、横向き時に顔面角度と頚椎、背骨が一直線で水平になる姿勢、または、直立時の顔、頚椎の角度を睡眠時の角度という理論に対応するものとする為、直立時（図１６参照）の角度を測定し、仰向け時（図１５参照）の角度の基準とする。または、横向き時（図１４参照）の顔の角度、頚椎、背骨が一直線で敷布団と平行で水平になる高さを基準にする方法で、複雑な形状の枕に対応する機能を有する顔面角度測定器とする。
【発明の効果】
【００１３】  敷布団に横たわりながら横向時、仰向け時の二方向の顔面角度を、簡単に自ら視認、測定ができる事を可能とし、横向き時の角度を基準に、または、直立時の角度を仰向け時の基準にするなど、複雑な構造の枕も適正に設定、確認、及び製作を容易とする効果がある顔面角度測定器を提供する。【００１４】  日常の測定が可能になり、オーダー等で作った枕や店舗で購入の枕の高さ、形状を確認、維持管理ができ、変形、劣化による枕の変化を見逃すこと無く、不適正な枕の使用を避け、常に適正な条件の枕を使用できる効果を得られるものである。【００１５】  また、直立時の顔面前傾角度の数値を、仰向け時の角度に置き換え、横向き時の角度と併せて、枕の高さの設定を可能とし、肩こり・頭痛・首・頚椎・背中の痛み・不眠・無呼吸症候群・いびき等の軽減、解消、快眠の効果を得られるものである。
【図面の簡単な説明】
【００１６】本、発明における図面の寸法、形状は比例関係に無いものである。
【図１】  本発明の、Ａタイプ測定部とコの字形のフレームからなる顔面角度測定器による測定図。
【図２】  同、Ｂタイプの測定部。
【図３】  同、Ｃタイプの測定部。
【図４】  同、Ａタイプ測定部の斜視図。
【図５】  同、Ａタイプ測定部の分解図。
【図６】  同、Ｂタイプ測定部の斜視図。
【図７】  同、Ｂタイプ測定部の分解図。
【図８】  同、Ｂタイプ図６Ａ−Ａの直立測定時の針を見る断面図。
【図９】  同、Ｂタイプ図６Ａ−Ａの横向き時、仰向け測定時の針を見る断面図。
【図１０】  同、Ｃタイプ測定部の斜視図。
【図１１】  同、Ｃタイプ測定部の分解図。
【図１２】  同、Ｃタイプの図１０Ｂ−Ｂの断面図。
【図１３】  同、Ｃタイプの横向き時、気泡位置図。
【図１４】  同、Ａ、Ｂ、Ｃタイプ横向き就寝時の顔・頚椎・背骨の顔面水平角度測定図。
【図１５】  同、Ａ、Ｂ、Ｃタイプ仰向け就寝時の顔・頚椎の前傾角度測定図。
【図１６】  同、Ｂタイプ測定器による直立時の顔面角度測定図。
【図１７】  同、間隔維持棒の断面に取り付けた磁気を帯びた蝶番図。
【図１８】  同、間隔維持棒の側面に取り付けた蝶番図。
【図１９】  同、頭部と枕、Ａ，Ｂ，Ｃ各タイプ測定時の測定部と目の位置関係図。
【発明を実施するための形態】
【実施例】
【００１７】  以下、本発明の実施の形態を（図１〜図１９）に基づいて説明する
（図１）測定部３ａ，（図２）測定部３ｂと、接続棒６に固定した（図３）測定部３ｃは、同じコの字形のフレームを有して測定器を構成するもので、三タイプとも同じ測定方法で（図１４）横向き時、（図１５）仰向け時の二方向を測定する物であるが、２本の針先を有する（図２）測定部３ｂからなるＢタイプの測定器は直立時（図１６）の測定を含む三方向の測定を可能とする。【００１８】  （図１７）または、（図１８）いずれかの蝶番により折りたためる（図１）の２本の間隔維持棒２ａ，２ｂと接続棒６から構成されるコの字形のフレームはＡ，Ｂ，Ｃの３タイプの測定部に共通して使用できる構造のものとする。【００１９】  Ａタイプ（図４、図５参照）の測定部３ａは、支軸穴２６ａと前傾目盛り５ａ，水平目盛り１１ａの刻まれた２枚の側板２５ａ，２５ｂでガラスの気泡管１３を挟む構造で、支軸８ａ，８ｂを（図１参照）の接続棒６に挿し込んで取り付けた構造の顔面角度測定器である。【００２０】  Ｂタイプ（図６、７参照）の測定部３ｂは、支軸穴２６ｂと前傾目盛り５ｂ水平目盛り１１ｂが刻まれ、軸棒穴１６ａ，１６ｂのあけられた２枚の側板２５ｃ，２５ｄに針の内蔵を可能とする空間を確保する中間枠１５を挿む構造で、測定針２０は支点を軸に回転可能な軸棒通し穴１４があけられ、一体にして二方向を指す針先１２ａ，１２ｂを有し、一方は水平、一方は真下を指す為のバランスをとる錘１７が埋め込まれた測定針２０を入れて、側板２５ｃの軸棒穴１６ａに軸棒１８を挿して、軸棒通し穴１４に軸棒１８を通して、側板２５ｄの軸棒穴１６ｂに挿して、二枚の側板２５ａ，２５ｂと中間枠１５を接着して、上記のコの字型のフレームの接続棒６に支軸８ａ，８ｂを挿し込んで取り付けた構造の顔面角度測定器とする。【００２１】  Ｃタイプ（図１０、１１、１２、１３参照）の測定部３ｃにおいては、液体プール２７に円弧状の淵２１ａ２１ｂ、円弧状の凹み２２、円弧状の底面２３を設けた樹脂製の取り付け台１９と、前傾目盛り５ｃが刻まれ、円弧状の淵２１ｃ，２１ｄを有する透明の樹脂の密封蓋２４からなる測定部３ｃを持ち、注入口２８から液体２７が封入された気泡管を構成し、上記のコの字形のフレームの接続棒６に固定する構造でありながら、二方向の測定を可能とした顔面角度測定器とするものである。また、それぞれの測定部とコの字形のフレームは、木、竹、樹脂、アクリル、金属等の材料を使用、あるいは測定部と気泡管をアクリルの一体型、ＬＥＤ照明を、測定部、測定器に付ける、測定部を液晶表示、デジタル化等の方法も考えられる。
【使用例】
【００２２】  以下、本発明の測定器の使用方法を説明する。
上記の、測定器において、横向き時（図１、１４参照）の測定は二本の間隔維持棒２ａ，２ｂと接続棒６から構成されるコの字形のフレームを手に持って、間隔維持棒２ａ，２ｂの先端をそれぞれ額９、顎１０に当てた状態で、測定部と顔の間隔を維持し、目と正対する位置に吊るされた測定部３ａの側面に刻まれた水平目盛り１１ａと気泡７により、敷布団に横向きに就寝時の、顔、頚椎、背骨が水平で一直線になる様に枕の高さの設定をする。これを枕の高さの基準にする。
【００２３】  仰向け時（図１、１５参照）の測定は、コの字形のフレームに吊るされた測定部３ａの、前傾目盛り５ａが下を向き、間隔維持棒２ａ，２ｂの先端をそれぞれ額９と顎１０に当てた状態で、測定部３ａと顔４の間隔を維持し、視認を可能とし、仰向けに寝たときの顔面角度を前傾目盛り５ａと気泡７で測定できるものであり、測定者、及び、自身で測定可能とする。
【００２４】  また、横向き時の枕の高さを設定した後、その枕の高さで仰向け時の前傾角度を測定、仰向け時の角度の基準にする方法、あるいは諸説ある角度の中から自分で選択した角度に枕の高さを設定するものとし、（図１９参照）両端２９ａ，２９ｂと中央部３０の高さを変えて設定することを可能とする。
【００２５】  上記以外の一体にして二方向を示す針先１２ａ，１２ｂが特徴の測定部３ｃ（図８，９，１６参照）を持つ測定器にあっては直立時の顔面前傾角度を測定、その角度を仰向け時の前傾角度に置き換え、基準として設定し、（図１９参照）横向き時の水平測定目盛りにより枕の両端２９ａ，２９ｂの高さの設定を可能とする。
【符号の説明】
【００２６】１、  蝶番ａ
蝶番ｂ
２、  間隔維持棒ａ
間隔維持棒ｂ
３、  測定部ａ
測定部ｂ
測定部ｃ
４、  顔
５、  前傾目盛りａ
前傾目盛りｂ
前傾目盛りｃ
６、  接続棒
７、  気泡
８、  支軸ａ
支軸ｂ
９、  額
１０、顎
１１、水平目盛りａ
水平目盛りｂ
水平目盛りｃ
１２、針ａ
針ｂ
１３、気泡管
１４、軸棒通し穴
１５、中間枠
１６、軸棒穴ａ
軸棒穴ｂ
１７、錘
１８、軸棒
１９、取り付け台
２０、測定針
２１、円弧状の淵ａ
円弧状の淵ｂ
円弧状の淵ｃ
円弧状の淵ｄ
２２、円弧状の凹み
２３、円弧状の底
２４、密封蓋
２５、側板ａ
側板ｂ
側板ｃ
側板ｄ
２６、支軸穴ａ
支軸穴ｂ
２７、液体プール
２８、注入口
２９、両端ａ
両端ｂ
３０、中央部
【図１】
2014186015.tif 000003
【図２】
2014186015.tif 000004
【図３】
2014186015.tif 000005
【図４】
2014186015.tif 000006
【図５】
2014186015.tif 000007
【図６】
2014186015.tif 000008
【図７】
2014186015.tif 000009
【図８】
2014186015.tif 000010
【図９】
2014186015.tif 000011
【図１０】
2014186015.tif 000012
【図１１】
2014186015.tif 000013
【図１２】
2014186015.tif 000014
【図１３】
2014186015.tif 000015
【図１４】
2014186015.tif 000016
【図１５】
2014186015.tif 000017
【図１６】
2014186015.tif 000018
【図１７】
2014186015.tif 000019
【図１８】
2014186015.tif 000020
【図１９】
2014186015.tif 000021